(57)【要約】【課題】  使用時に途中で切れないようにし、また、修正テープを貼った後に鉛筆でも原稿紙と同様に容易に書くことができると共に、原稿紙への接着強度を持たせて、擦れても容易に剥がれることがないようにすること。【解決手段】  坪量を１０ｇ／ｍ2 〜１４ｇ／ｍ2 の範囲の薄くて文字や絵柄が透過しにくい紙製の紙基材シート２と、この紙基材シート２に、油性の白色インキをウェット１０ｇ／ｍ2 〜１５ｇ／ｍ2 の範囲でコートした第２の白色インキ層１２を転写するアルミ蒸着転写層シート１３と、このアルミ蒸着転写層シート１３の裏面に粘着樹脂でコーティングした粘着樹脂層２０とで修正テープ本体１を構成する。【選択図】        図８
2005103757.tif 000002
【特許請求の範囲】
【請求項１】
坪量を１０ｇ／ｍ2 〜１４ｇ／ｍ2 の範囲の薄くて文字や絵柄が透過しにくい紙製の紙基材シート（２）と、この紙基材シート（２）の裏面に粘着樹脂でコーティングした粘着樹脂層（３）とで修正テープ本体（１）を構成していることを特徴とする修正テープ。
【請求項２】
坪量を１０ｇ／ｍ2 〜１４ｇ／ｍ2 の範囲の薄くて文字や絵柄が透過しにくい紙製の紙基材シート（２）と、この紙基材シート（２）の裏面に直接アルミ蒸着して形成したアルミ蒸着層（４）と、このアルミ蒸着層（４）の裏面に粘着樹脂でコーティングした粘着樹脂層（３）とで修正テープ本体（１）を構成していることを特徴とする修正テープ。
【請求項３】
坪量を１０ｇ／ｍ2 〜１４ｇ／ｍ2 の範囲の薄くて文字や絵柄が透過しにくい紙製の紙基材シート（２）と、この紙基材シート（２）の裏面にアルミ蒸着転写箔によるアルミ蒸着転写をして形成したアルミ蒸着転写層（５）と、このアルミ蒸着転写層（５）の裏面に粘着樹脂でコーティングした粘着樹脂層（３）とで修正テープ本体（１）を構成していることを特徴とする修正テープ。
【請求項４】
坪量を１０ｇ／ｍ2 〜１４ｇ／ｍ2 の範囲の薄くて文字や絵柄が透過しにくい紙製の紙基材シート（２）と、この紙基材シート（２）の裏面に厚さを約５．５μｍとしたアルミ箔を貼合して形成したアルミ箔貼合層（６）と、このアルミ箔貼合層（６）の裏面に粘着樹脂でコーティングした粘着樹脂層（３）とで修正テープ本体（１）を構成していることを特徴とする修正テープ。
【請求項５】
坪量を１０ｇ／ｍ2 〜１４ｇ／ｍ2 の範囲の薄くて文字や絵柄が透過しにくい紙製の紙基材シート（２）と、この紙基材シート（２）の裏面に白色インキをウェット１０ｇ／ｍ2 〜１５ｇ／ｍ2 の範囲でコートして形成した白色インキ層（１０）と、この白色インキ層（１０）の裏面に直接アルミ蒸着した形成したアルミ蒸着層（４）と、このアルミ蒸着層（４）の裏面に粘着樹脂でコーティングした粘着樹脂層（２０）とで修正テープ本体（１）を構成していることを特徴とする修正テープ。
【請求項６】
坪量を１０ｇ／ｍ2 〜１４ｇ／ｍ2 の範囲の薄くて文字や絵柄が透過しにくい紙製の紙基材シート（２）と、この紙基材シート（２）の裏面に白色インキをウェット１０ｇ／ｍ2 〜１５ｇ／ｍ2 の範囲でコートして形成した白色インキ層（１０）と、この白色インキ層（１０）の裏面にアルミ蒸着転写箔によるアルミ蒸着転写をして形成したアルミ蒸着転写層（５）と、このアルミ蒸着転写層（５）の裏面に粘着樹脂でコーティングした粘着樹脂層（２０）とで修正テープ本体（１）を構成していることを特徴とする修正テープ。
【請求項７】
坪量を１０ｇ／ｍ2 〜１４ｇ／ｍ2 の範囲の薄くて文字や絵柄が透過しにくい紙製の紙基材シート（２）と、この紙基材シート（２）の裏面に油性の白色インキをウェット１０ｇ／ｍ2 〜１５ｇ／ｍ2 の範囲でコートした第２の白色インキ層（１２）を転写するアルミ蒸着転写層シート（１３）と、このアルミ蒸着転写層シート（１３）の裏面に粘着樹脂でコーティングした粘着樹脂層（２０）とで修正テープ本体（１）を構成していることを特徴とする修正テープ。
【請求項８】
坪量を１０ｇ／ｍ2 〜１４ｇ／ｍ2 の範囲の薄くて文字や絵柄が透過しにくい紙製の紙基材シート（２）と、この紙基材シート（２）の裏面に白色インキをウェット１０ｇ／ｍ2 〜１５ｇ／ｍ2 の範囲でコートして形成した白色インキ層（１０）とからなる基材シート（１１）と、
前記基材シート（１１）の白色インキ層（１０）に、油性の白色インキをウェット１０ｇ／ｍ2 〜１５ｇ／ｍ2 の範囲でコートした第２の白色インキ層（１２）を転写するアルミ蒸着転写箔シート（１５）と、このアルミ蒸着転写箔シート（１５）の裏面に粘着樹脂でコーティングした粘着樹脂層（２０）とで修正テープ本体（１）を構成していることを特徴とする修正テープ。
【請求項９】
坪量を１０ｇ／ｍ2 〜１４ｇ／ｍ2 の範囲の薄くて文字や絵柄が透過しにくい紙製の紙基材シート（２）、
または、坪量を１０ｇ／ｍ2 〜１４ｇ／ｍ2 の範囲の薄くて文字や絵柄が透過しにくい紙製の紙基材シート（２）と、この紙基材シート（２）の裏面に白色インキをウェット１０ｇ／ｍ2 〜１５ｇ／ｍ2 の範囲でコートして形成した白色インキ層（１０）とからなる基材シート（１１）と、
前記紙基材シート（２）または基材シート（１１）の白色インキ層（１０）に、油性の白色インキをウェット１０ｇ／ｍ2 〜１５ｇ／ｍ2 の範囲でコートした第２の白色インキ層（１２）を貼合し厚さを約５．５μｍとしたアルミ箔シート（１４）と、このアルミ箔シート（１４）の裏面に粘着樹脂でコーティングした粘着樹脂層（２０）とで修正テープ本体（１）を構成していることを特徴とする修正テープ。
【請求項１０】
前記粘着樹脂層（２０）を構成する粘着樹脂１００に対して水性ホワイトチタン顔料を構成比率５〜１０の割合で混入させていることを特徴とする請求項５〜請求項９のいずれかに記載の修正テープ。
【発明の詳細な説明】
【技術分野】
【０００１】
本発明は、文章を書いた書類の文字を修正する場合に、修正する文字の上に白色のテープを貼って、そのテープの表面に文字を書き込む修正テープに関するものである。
【背景技術】
【０００２】
ボールペンや万年筆で紙に文章を書いていき、文字を書き間違った場合には鉛筆とは異なり消しゴムで消すことができないので、一般に修正テープを用いることになる。図１５及び図１６はこのような状態を示している。この修正用具５１は市販のものであり、基部側の内部に設けられているローラ５２に白色修正テープ５３が何メートルも巻回されている。
修正用具５１を使用する場合には、書き間違った文字の上に修正用具５１の先端部５４を押しつけて修正用具５１を書き間違った文字の方向にスライドさせることで、修正テープ５３が紙５５の表面に押しつけられて、修正テープ５３が文字の上に接着されていく。
【０００３】
書き間違った文字の上に修正テープ５３を接着させていき、修正部分まで来きた時に修正用具５１を上げると修正テープ５３が簡単に切断され、文字を修正する部分だけに修正テープ５３が接着される。そして、修正テープ５３の白色の面にボールペンなどで文字の修正を行なう。
【０００４】
このように、現在使用されている修正テープ５３は、その便利性故に広く使用されている。これらの修正テープは、筆記具メーカーをはじめ、各社がしのぎを削っているのが現状である。
ところが、それらの既存の製品は、テープ部分が「基材なしの塗料テープ」という構成を採っているために、複雑な機構を有した容器にセットせざるを得ず、価格も非常に高いものとなっている。また、その「基材なしの塗料テープ」は、非常に良く研究された高度な品質を有してはいるものの、実際に修正テープとして用いる場合に、品質面において問題がない訳ではない。
【０００５】
すなわち、修正用具５１から修正テープ５３を引き出している際に修正テープ５３が途中で切れてしまうことがあり、そのため、切れた部分からやり直す必要があり、利用者に不快感を与えることになる。また、鉛筆書きの場合、修正テープ５３に芯先が食い込んで非常に書きにくいという問題がある。また、鉛筆で書いた場合、黒くはっきりとした文字を書くことができず、文字が薄くなって非常に見えにくいという問題があった。
【０００６】
また、市販の修正テープ５３は紙への接着強度がないため、擦れたり、引っかけたりした際に修正テープ５３が紙から剥がれてしまうという問題もある。さらには、修正テープ５３を引き出している際に、上述したように切れにくくするために、修正テープ５３自体にある程度の厚みを持たせており、そのため、修正テープ５３を紙に接着した際に、その部分だけ厚くなり、いかにも修正テープ５３を貼っているという印象を与えてしまう。
また、修正テープ５３の色も白色塗料テープのため、修正時、原稿紙との間に色彩の差から違和感を与えるという問題もあった。
【発明の開示】
【発明が解決しようとする課題】
【０００７】
本発明は上述の問題点に鑑みて提供したものであって、少なくとも以下の目的を備えた修正テープを提供することを目的としているものである。
（１）使用時に途中で切れないようにすること。
（２）修正テープを貼った後に鉛筆でも原稿紙と同様に容易に書くことができること。
（３）原稿紙への接着強度を持たせて、擦れても容易に剥がれることがないようにすること。
（４）非常に薄くして引っ掛かりがないようにして、容易に修正テープが剥がれることがないようにすること。
（５）従来のように白色塗料テープを一切使用せず、任意の色の紙を用いて修正テープと原稿紙との間に色彩の点で違和感を持たせないようにすること。
（６）白色塗料テープを一切用いずに、機構がシンプルで安価であり、修正テープ自体を紙製とし、書き味なども原稿紙に書いているのと同様にすること。
【課題を解決するための手段】
【０００８】
そこで、本発明の請求項１記載の修正テープでは、坪量を１０ｇ／ｍ2 〜１４ｇ／ｍ2 の範囲の薄くて文字や絵柄が透過しにくい紙製の紙基材シート２と、この紙基材シート２の裏面に粘着樹脂でコーティングした粘着樹脂層３とで修正テープ本体１を構成していることを特徴としている。
【０００９】
請求項２に記載の修正テープでは、坪量を１０ｇ／ｍ2 〜１４ｇ／ｍ2 の範囲の薄くて文字や絵柄が透過しにくい紙製の紙基材シート２と、この紙基材シート２の裏面に直接アルミ蒸着して形成したアルミ蒸着層４と、このアルミ蒸着層４の裏面に粘着樹脂でコーティングした粘着樹脂層３とで修正テープ本体１を構成していることを特徴としている。
【００１０】
請求項３に記載の修正テープでは、坪量を１０ｇ／ｍ2 〜１４ｇ／ｍ2 の範囲の薄くて文字や絵柄が透過しにくい紙製の紙基材シート２と、この紙基材シート２の裏面にアルミ蒸着転写箔によるアルミ蒸着転写をして形成したアルミ蒸着転写層５と、このアルミ蒸着転写層５の裏面に粘着樹脂でコーティングした粘着樹脂層３とで修正テープ本体１を構成していることを特徴としている。
【００１１】
請求項４に記載の修正テープでは、坪量を１０ｇ／ｍ2 〜１４ｇ／ｍ2 の範囲の薄くて文字や絵柄が透過しにくい紙製の紙基材シート２と、この紙基材シート２の裏面に厚さを約５．５μｍとしたアルミ箔を貼合して形成したアルミ箔貼合層６と、このアルミ箔貼合層６の裏面に粘着樹脂でコーティングした粘着樹脂層３とで修正テープ本体１を構成していることを特徴としている。
【００１２】
請求項５に記載の修正テープでは、坪量を１０ｇ／ｍ2 〜１４ｇ／ｍ2 の範囲の薄くて文字や絵柄が透過しにくい紙製の紙基材シート２と、この紙基材シート２の裏面に白色インキをウェット１０ｇ／ｍ2 〜１５ｇ／ｍ2 の範囲でコートして形成した白色インキ層１０と、この白色インキ層１０の裏面に直接アルミ蒸着した形成したアルミ蒸着層４と、このアルミ蒸着層４の裏面に粘着樹脂でコーティングした粘着樹脂層２０とで修正テープ本体１を構成していることを特徴としている。
【００１３】
請求項６に記載の修正テープでは、坪量を１０ｇ／ｍ2 〜１４ｇ／ｍ2 の範囲の薄くて文字や絵柄が透過しにくい紙製の紙基材シート２と、この紙基材シート２の裏面に白色インキをウェット１０ｇ／ｍ2 〜１５ｇ／ｍ2 の範囲でコートして形成した白色インキ層１０と、この白色インキ層１０の裏面にアルミ蒸着転写箔によるアルミ蒸着転写をして形成したアルミ蒸着転写層５と、このアルミ蒸着転写層５の裏面に粘着樹脂でコーティングした粘着樹脂層２０とで修正テープ本体１を構成していることを特徴としている。
【００１４】
請求項７に記載の修正テープでは、坪量を１０ｇ／ｍ2 〜１４ｇ／ｍ2 の範囲の薄くて文字や絵柄が透過しにくい紙製の紙基材シート２と、この紙基材シート２の裏面に油性の白色インキをウェット１０ｇ／ｍ2 〜１５ｇ／ｍ2 の範囲でコートした第２の白色インキ層１２を転写するアルミ蒸着転写層シート１３と、このアルミ蒸着転写層シート１３の裏面に粘着樹脂でコーティングした粘着樹脂層２０とで修正テープ本体１を構成していることを特徴としている。
【００１５】
請求項８に記載の修正テープでは、坪量を１０ｇ／ｍ2 〜１４ｇ／ｍ2 の範囲の薄くて文字や絵柄が透過しにくい紙製の紙基材シート２と、この紙基材シート２の裏面に白色インキをウェット１０ｇ／ｍ2 〜１５ｇ／ｍ2 の範囲でコートして形成した白色インキ層１０とからなる基材シート１１と、
前記基材シート１１の白色インキ層１０に、油性の白色インキをウェット１０ｇ／ｍ2 〜１５ｇ／ｍ2 の範囲でコートした第２の白色インキ層１２を転写するアルミ蒸着転写箔シート１５と、このアルミ蒸着転写箔シート１５の裏面に粘着樹脂でコーティングした粘着樹脂層２０とで修正テープ本体１を構成していることを特徴としている。
【００１６】
請求項９に記載の修正テープでは、坪量を１０ｇ／ｍ2 〜１４ｇ／ｍ2 の範囲の薄くて文字や絵柄が透過しにくい紙製の紙基材シート２、
または、坪量を１０ｇ／ｍ2 〜１４ｇ／ｍ2 の範囲の薄くて文字や絵柄が透過しにくい紙製の紙基材シート２と、この紙基材シート２の裏面に白色インキをウェット１０ｇ／ｍ2 〜１５ｇ／ｍ2 の範囲でコートして形成した白色インキ層１０とからなる基材シート１１と、
前記紙基材シート２または基材シート１１の白色インキ層１０に、油性の白色インキをウェット１０ｇ／ｍ2 〜１５ｇ／ｍ2 の範囲でコートした第２の白色インキ層１２を貼合し厚さを約５．５μｍとしたアルミ箔シート１４と、このアルミ箔シート１４の裏面に粘着樹脂でコーティングした粘着樹脂層２０とで修正テープ本体１を構成していることを特徴としている。
【００１７】
請求項１０に記載の修正テープでは、前記粘着樹脂層２０を構成する粘着樹脂１００に対して水性ホワイトチタン顔料を構成比率５〜１０の割合で混入させていることを特徴としている。
【発明の効果】
【００１８】
本発明の修正テープによれば、白色塗料を用いていた従来例とは異なり、修正テープ本体１に白色塗料を用いずに、紙基材シート２を用いているので、修正テープ本体１が使用時に途中で切れることもなく、また、修正テープ本体１を原稿紙に貼った後に、鉛筆でも原稿紙と同様に容易に書くことができる。
また、粘着樹脂を用いていない従来とは異なり、紙基材シート２の裏面に粘着樹脂層３を設けているので、原稿紙への接着強度を持たせることができ、修正テープ本体１に擦れても容易に剥がれることはない。
【００１９】
さらに、修正テープ本体１の紙基材シート２は坪量が１０ｇ／ｍ2 〜１４ｇ／ｍ2 としているので、非常に薄くなり、修正テープ本体１を原稿紙に貼った場合でも修正テープ本体１に引っ掛かることもほとんどなく、そのため、引っ掛かりによる修正テープ本体１が原稿紙から剥がれるということもない。
また、従来のように白色塗料テープを一切使用せず、任意の色の紙を用いることで、つまり、原稿紙の色とほぼ同じ色の修正テープ本体１とすることで、原稿紙に修正テープ本体１を貼っても利用者にとって違和感を与えることもない。
【００２０】
また、白色塗料テープを一切用いていないので、機構がシンプルで安価な修正テープ本体１を提供でき、しかも、修正テープ自体を紙製としているので、書き味なども原稿紙に書いているのと同様になり、修正テープ本体１に文字を書いているという感覚もなく、原稿紙に書いているのと同様の感覚を利用者に与えることができる。
【００２１】
また、紙基材シート２の裏面に、アルミ蒸着層４、アルミ蒸着転写層５、アルミ箔貼合層６などを設けているので、原稿紙の上の文字が上面に映るのを完全に防止できる。
【００２２】
紙基材シート２とアルミシート部分との間に白色インキ層１０や第２の白色インキ層１２を設けていることで、アルミの銀色を消すことができた。また、粘着樹脂層２０の粘着樹脂の剪断性が、水性ホワイトチタン顔料を混入させていることで、良好にすることができた。
【発明を実施するための最良の形態】
【００２３】
（第１の実施の形態）
以下、本発明の実施の形態を図面を参照して詳細に説明する。図１は第１の実施形態の修正テープ本体１の要部拡大断面図を示し、この修正テープ本体１は、紙基材シート２と、この紙基材シート２の裏面にコーティングした粘着樹脂層３とで構成されている。
【００２４】
修正テープ本体１の紙基材シート２は、完全に文字や絵柄が透過しにくいごく薄い厚みの紙のみのシートで構成されており、坪量として、１０ｇ／ｍ2 〜１４ｇ／ｍ2 としている。また、粘着樹脂層３は、再剥離、再接着が可能な粘着樹脂を紙基材シート２の裏面にコーティングして形成されている。
粘着樹脂層３の粘着樹脂としては、例えば、林化学株式会社製のユニゾールＲＳ−２００  を用いている。また、紙基材シート２の表面（文字の書き込み面）には粘着樹脂や塗料はコーティングしない。
【００２５】
修正テープ本体１は、幅を例えば７ｍｍ〜１０ｍｍとし、一般のテープと同様に巻回して仕上げる。使用する場合は、必要な寸法だけ剥がして修正テープ本体１を手などでちぎり、原稿紙の書き間違った文字の上に接着させて、修正テープ本体１の紙基材シート２の上に筆記具で文字修正を行なう。
なお、修正テープ本体１の紙基材シート２は紙製のため筆記具の種類は問わず、ボールペン、万年筆、鉛筆などのどのような筆記具でも通常の紙と同様にして書くことができる。
【００２６】
また、紙基材シート２の色彩はどのような色でも良く、通常良く用いられている白色系の色とし、種々な白色系の色を用意しておくことで、原稿紙の上に修正テープ本体１を貼っても色彩的に違和感はないものである。
このような紙基材シート２で構成した修正テープは今までに存在しないものであり、画期的な修正テープを提供することができた。
【００２７】
このように、本実施形態においては、白色塗料を用いていた従来例とは異なり、修正テープ本体１に白色塗料を用いずに、紙基材シート２を用いているので、修正テープ本体１が使用時に途中で切れることもなく、また、修正テープ本体１を原稿紙に貼った後に、鉛筆でも原稿紙と同様に容易に書くことができる。
また、粘着樹脂を用いていない従来とは異なり、紙基材シート２の裏面に粘着樹脂層３を設けているので、原稿紙への接着強度を持たせることができ、修正テープ本体１に擦れても容易に剥がれることはない。
【００２８】
さらに、修正テープ本体１の紙基材シート２は坪量が１０ｇ／ｍ2 〜１４ｇ／ｍ2 としているので、非常に薄くなり、修正テープ本体１を原稿紙に貼った場合でも修正テープ本体１に引っ掛かることもほとんどなく、そのため、引っ掛かりによる修正テープ本体１が原稿紙から剥がれるということもない。
また、従来のように白色塗料テープを一切使用せず、任意の色の紙を用いることで、つまり、原稿紙の色とほぼ同じ色の修正テープ本体１とすることで、原稿紙に修正テープ本体１を貼っても利用者にとって違和感を与えることもない。
【００２９】
また、白色塗料テープを一切用いていないので、機構がシンプルで安価な修正テープ本体１を提供でき、しかも、修正テープ自体を紙製としているので、書き味なども原稿紙に書いているのと同様になり、修正テープ本体１に文字を書いているという感覚もなく、原稿紙に書いているのと同様の感覚を利用者に与えることができる。
【００３０】
（第２の実施の形態）
ところで、上記修正テープ本体１の紙基材シート２は非常に薄くしているので、上述のような効果を有しているものの、修正テープ本体１を原稿紙に貼った場合に、下の文字が少し映る恐れがある。
そこで、本実施形態では、かかる不具合を解消したものである。すなわち、図２に示すように、坪量が１４ｇ／ｍ2 で純白の箔用原紙巻取りからなる紙材で紙基材シート２を構成し、この紙基材シート２の片面（修正文字を書かない側となる裏面）に直接アルミを蒸着したアルミ蒸着層４を形成したものである。そして、このアルミ蒸着層４の裏面に先の実施形態と同様の粘着樹脂層３を設けている。
【００３１】
また、この本実施形態の他の例として、図３に示すように、紙基材シート２の裏面にアルミ蒸着転写箔によるアルミ蒸着転写を行なってアルミ蒸着転写層５を形成している。
また、この本実施形態の更に他の例として、図４に示すように、厚さを約５．５μｍのアルミ箔を貼合したアルミ箔貼合層６を形成している。なお、図３及び図４に示す粘着樹脂層３は先の実施形態と同様である。
【００３２】
また、図２及び図３に示すアルミ蒸着層４、アルミ蒸着転写層５の厚さは、このアルミ箔貼合層６とほぼ同様な厚さとしている。すなわち、各アルミ蒸着層４、アルミ蒸着転写層５、アルミ箔貼合層６の厚さは、修正テープ本体１を手で千切った場合に容易に切れる薄さであれば良い。
【００３３】
上記の図２〜図４における各修正テープ本体１を形成することで、第１の実施形態の効果に加えて、紙基材シート２の裏面にアルミ蒸着層４、５、６をそれぞれ設けているので、修正テープ本体１を文字の上に貼った場合には、下の文字を完全に隠すことができ、紙基材シート２の表面に原稿紙の文字が映ることもなくなった。
【００３４】
このように、アルミによる薄い層を紙基材シート２の裏面に設けるようにしたので、隠蔽性能は完全にクリアできたが、実際に書き込みをする紙面に薄い原紙（紙基材シート２）を採用しているため、アルミの金属光沢が下から差し込んで若干光沢を放ち過ぎるので、以下に示すような方法でこれを解決するようにした。
【００３５】
（第３の実施の形態）
以下に示す実施形態は、修正テープ本体１の金属光沢を消すための方法である。先ず、図５に示すように、坪量が１４ｇ／ｍ2 で純白の箔用原紙巻取りからなる紙材で紙基材シート２を構成し、この紙基材シート２の裏面に白色インキ（水性、あるいは油性のどちらでも良い）をウェット１０ｇ／ｍ2 〜１５ｇ／ｍ2 の範囲でコートして白色インキ層１０を形成し、この紙基材シート２と白色インキ層１０とからなる基材シート１１を形成する。
次に、この基材シート１１の白色インキ層１０の面に直接アルミ蒸着を行なってアルミ蒸着層４を形成する。
【００３６】
図６は本実施形態の第２の例を示し、紙基材シート２と白色インキ層１０とからなる基材シート１１の白色インキ層１０の面に通常のアルミ蒸着転写箔を使って転写を行なってアルミ蒸着転写層５を形成する。
【００３７】
図７及び図８は本実施形態の第３の例を示し、紙基材シート２の裏面に、通常のアルミ蒸着転写層シート１３に油性の白色インキをウェット１０ｇ／ｍ2 〜１５ｇ／ｍ2 の範囲でコートしてバックコートした第２の白色インキ層１２を形成し、アルミ蒸着転写層シート１３を紙基材シート２に転写して修正テープ本体１を形成する。
【００３８】
図９及び図１０は本実施形態の第４の例を示し、紙基材シート２と白色インキ層１０とからなる基材シート１１の白色インキ層１０に、上記第３の例の場合と同様に、通常のアルミ蒸着転写箔シート１５に油性の白色インキをウェット１０ｇ／ｍ2 〜１５ｇ／ｍ2 の範囲でコートしてバックコートした第２の白色インキ層１２を形成し、アルミ蒸着転写箔シート１５を紙基材シート２に転写して修正テープ本体１を形成する。
【００３９】
図１１及び図１２は本実施形態の第５の例を示し、厚みを約５．５μｍとした通常のアルミ箔シート１４の片面に、油性の白色インキをウェット１０ｇ／ｍ2 〜１５ｇ／ｍ2 の範囲でコートして第２の白色インキ層１２を形成し、このアルミ箔シート１４を紙基材シート２の裏面に貼合して修正テープ本体１を形成する。
【００４０】
図１３及び図１４は本実施形態の第６の例を示し、第５の例の場合と同様に、厚みを約５．５μｍとした通常のアルミ箔シート１４の片面に、油性の白色インキをウェット１０ｇ／ｍ2 〜１５ｇ／ｍ2 の範囲でコートして第２の白色インキ層１２を形成する。次に、このアルミ箔シート１４を紙基材シート２と白色インキ層１０とからなる基材シート１１の白色インキ層１０の面に貼合して修正テープ本体１を形成する。
【００４１】
上記の第１の例〜第６の例におけるアルミ蒸着転写層シート１３、アルミ蒸着転写箔シート１５、アルミ箔シート１４の裏面に下記の粘着剤を合成した粘着樹脂をコーティングして粘着樹脂層２０を形成して修正テープ本体１を作成する。
林化学株式会社製  ユニゾールＲＳ−２００  構成比率１００
水性ホワイトチタン顔料                    構成比率５〜１０
【００４２】
本実施形態では、上記のように構成した修正テープ本体１とすることで、第１、第２の実施形態の効果に加えてアルミの金属光沢（銀色）を消すことができると共に、粘着樹脂層２０の粘着樹脂の剪断性が、水性ホワイトチタン顔料を混入することにより良好となった。
【００４３】
なお、本実施形態においては、上記の第１の例から第６の例の中で、第３の例と第４の例が一番良好な結果を得ることができた。このように、本発明の修正テープ本体１は、離けいシート無しの簡便なテープ状なので、簡単な機構のテープカッターで、淀みなく作業をすることができる。
【００４４】
また、第２の実施形態と第３の実施形態において、紙基材シート２の坪量を１４ｇ／ｍ2 としているが、１０ｇ／ｍ2 〜１４ｇ／ｍ2 の範囲の紙を用いても良い。
【図面の簡単な説明】
【００４５】
【図１】本発明の第１の実施の形態における修正テープ本体の要部拡大断面図である。
【図２】本発明の第２の実施の形態における修正テープ本体の要部拡大断面図である。
【図３】本発明の第２の実施の形態における他の例の修正テープ本体の要部拡大断面図である。
【図４】本発明の第２の実施の形態における更に他の例の修正テープ本体の要部拡大断面図である。
【図５】本発明の第３の実施の形態における第１の例を示す修正テープ本体の要部拡大断面図である。
【図６】本発明の第３の実施の形態における第２の例を示す修正テープ本体の要部拡大断面図である。
【図７】本発明の第３の実施の形態における第３の例を示す修正テープ本体の要部拡大断面図である。
【図８】本発明の第３の実施の形態における第３の例を示す修正テープ本体の要部拡大断面図である。
【図９】本発明の第３の実施の形態における第４の例を示す修正テープ本体の要部拡大断面図である。
【図１０】本発明の第３の実施の形態における第４の例を示す修正テープ本体の要部拡大断面図である。
【図１１】本発明の第３の実施の形態における第５の例を示す修正テープ本体の要部拡大断面図である。
【図１２】本発明の第３の実施の形態における第５の例を示す修正テープ本体の要部拡大断面図である。
【図１３】本発明の第３の実施の形態における第６の例を示す修正テープ本体の要部拡大断面図である。
【図１４】本発明の第３の実施の形態における第６の例を示す修正テープ本体の要部拡大断面図である。
【図１５】従来例の修正用具での使用状態を示す図である。
【図１６】従来例の修正用具での使用状態を示す図である。
【符号の説明】
【００４６】
１  修正テープ本体
２  紙基材シート
３  粘着樹脂層
４  アルミ蒸着層
５  アルミ蒸着転写層
６  アルミ箔貼合層
１０  白色インキ層
１１  基材シート
１２  第２の白色インキ層
１３  アルミ蒸着転写層シート
１４  アルミ箔シート
１５  アルミ蒸着転写箔シート
２０  粘着樹脂層
【図１】
2005103757.tif 000003
【図２】
2005103757.tif 000004
【図３】
2005103757.tif 000005
【図４】
2005103757.tif 000006
【図５】
2005103757.tif 000007
【図６】
2005103757.tif 000008
【図７】
2005103757.tif 000009
【図８】
2005103757.tif 000010
【図９】
2005103757.tif 000011
【図１０】
2005103757.tif 000012
【図１１】
2005103757.tif 000013
【図１２】
2005103757.tif 000014
【図１３】
2005103757.tif 000015
【図１４】
2005103757.tif 000016
【図１５】
2005103757.tif 000017
【図１６】
2005103757.tif 000018